(57)【要約】【課題】上部からの激しい風雨があっても、十分な防水性能を確保できるようにする。【解決手段】屋根の棟部分に設けた屋根開口部７の上方に、換気孔２０を有する換気棟板１３が設けられ、換気棟板１３の下方に、棟板受け１４が設けられ、屋根開口部７からの排気を換気孔２０から外部に排出するようにした換気棟において、  換気孔２０の下方に、換気棟板１３と棟板受け１４との間を上下に仕切るように仕切板５１が設けられ、仕切板５１と換気棟板１３との間の軒側は、屋根開口部７に連通しないように閉塞され、仕切板５１と換気棟板１３との間の棟側は、迂回した換気通路５５を介して屋根開口部７に連通されている。【選択図】図１
2005097942.tif 000002
【特許請求の範囲】
【請求項１】
屋根の棟部分に設けた屋根開口部（７）の上方に、換気孔（２０）を有する換気棟板（１３）が設けられ、換気棟板（１３）の下方に、棟板受け（１４）が設けられ、屋根開口部（７）からの排気を換気孔（２０）から外部に排出するようにした換気棟において、
換気孔（２０）の下方に、換気棟板（１３）と棟板受け（１４）との間を上下に仕切るように仕切板（５１）が設けられ、仕切板（５１）と換気棟板（１３）との間の軒側は、屋根開口部（７）に連通しないように閉塞され、仕切板（５１）と換気棟板（１３）との間の棟側は、迂回した換気通路（５５）を介して屋根開口部（７）に連通されていることを特徴とする換気棟。
【請求項２】
仕切板（５１）と換気棟板（１３）との間の軒側が屋根開口部（７）に連通しないように、仕切板（５１）の軒側端部が、換気棟板（１３）に接当、近接又は連結されていることを特徴とする請求項１に記載の換気棟。
【請求項３】
仕切板（５１）と換気棟板（１３）との間の軒側が屋根開口部（７）に連通しないように、仕切板（５１）の軒側端部が、棟板受け（１４）に接当、近接又は連結されていることを特徴とする請求項１に記載の換気棟。
【請求項４】
仕切板（５１）と換気棟板（１３）との間の棟側を遮断するように、水切板（５２）が設けられ、仕切板（５１）と換気棟板（１３）との間を水切板（５２）の棟側に連通させる通気口（５３）が換気孔（２０）よりも棟側に設けられていることを特徴とする請求項１に記載の換気棟。
【請求項５】
仕切板（５１）と棟板受け（１４）との間に、熱発泡材（６３）が、高温になると膨張して換気通路（５５）を塞ぐように設けられていることを特徴とする請求項１に記載の換気棟。
【発明の詳細な説明】
【技術分野】
【０００１】
本発明は、住宅等の屋根に設置される換気棟に関するものである。
【背景技術】
【０００２】
住宅等の屋根に設置される換気棟には、図１８に示すように、屋根の棟部分に設けた屋根開口部７１の上方に、棟を挟む一対の屋根面間に跨るように換気棟板７２が設けられ、該換気棟板７２は、一対の屋根面に沿うように山形状に形成された一対の傾斜部７３を有し、一対の傾斜部７３に換気孔７６が設けられ、換気棟板７２の下方に、棟板受け７７が設けられ、換気孔７６の下方に、棟板受け７７に一体に形成した止水部材７８が設けられて、止水部材７８と棟板受け７７との間に、屋根開口部７１からの排気を棟側から軒側に流して換気孔７６から外部に排出するように換気通路７９が形成されたものがある（例えば、特許文献１）。
【特許文献１】特開平９−７８７８２号公報
【特許文献２】特開２００２−１６１６１５号公報
【特許文献３】特開平１１−２１０１０４号公報
【特許文献４】特開平１１−１９００７７号公報
【発明の開示】
【発明が解決しようとする課題】
【０００３】
しかし、従来の換気棟では、横風（側方から吹く風）に対しては負圧が発生するため防水性能には問題がないが、矢印で示すように激しい上部からの雨等が内部で跳ね返った場合に屋根開口部７１側に流出する雨等を妨げるものがないため、風雨の方向によっては漏水のおそれがあった。
本発明は上記問題点に鑑み、上部からの激しい風雨があっても、十分な防水性能を確保できるようにしたものである。
【課題を解決するための手段】
【０００４】
この技術的課題を解決するための本発明の技術的手段は、屋根の棟部分に設けた屋根開口部７の上方に、換気孔２０を有する換気棟板１３が設けられ、換気棟板１３の下方に、棟板受け１４が設けられ、屋根開口部７からの排気を換気孔２０から外部に排出するようにした換気棟において、
換気孔２０の下方に、換気棟板１３と棟板受け１４との間を上下に仕切るように仕切板５１が設けられ、仕切板５１と換気棟板１３との間の軒側は、屋根開口部７に連通しないように閉塞され、仕切板５１と換気棟板１３との間の棟側は、迂回した換気通路５５を介して屋根開口部７に連通されている点にある。
【０００５】
また、本発明の他の技術的手段は、仕切板５１と換気棟板１３との間の軒側が屋根開口部７に連通しないように、仕切板５１の軒側端部が、換気棟板１３に接当、近接又は連結されている点にある。
また、本発明の他の技術的手段は、仕切板５１と換気棟板１３との間の軒側が屋根開口部７に連通しないように、仕切板５１の軒側端部が、棟板受け１４に接当、近接又は連結されている点にある。
また、本発明の他の技術的手段は、仕切板５１と換気棟板１３との間の棟側を遮断するように、水切板５２が設けられ、通気口５３が換気孔２０よりも棟側に設けられている点にある。
【０００６】
また、本発明の他の技術的手段は、仕切板５１と棟板受け１４との間に、熱発泡材６３が、高温になると膨張して換気通路５５を塞ぐように設けられている点にある。
【発明の効果】
【０００７】
上部からの激しい風雨があっても、十分な防水性能を確保できる。
【発明を実施するための最良の形態】
【０００８】
以下、本発明を図示の実施の形態に従って説明する。
図１において、１は棟木、２は垂木、３は野地板で、棟木１と垂木２とで組み上げた屋根４の骨組上に張り付けられている。野地板３の上面に、ストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面４ａ，４ｂ間に跨るように換気棟１１が設けられている。なお、８は屋根開口部７に対応して設けた水切り部材である。
【０００９】
図１〜図５において、前記換気棟１１は、板金製の換気棟板１３と板金製の左右一対の棟板受け１４とを備えている。
換気棟板１３は、一対の屋根面４ａ，４ｂに沿うように山形状に形成された一対の傾斜部１５と、一対の傾斜部１５の外側端から下方に突出された一対の起立部１６と、一対の起立部１６の下端から屋根面４ａ，４ｂに添うように屋根流れ方向に突出された一対の設置部１７とを有している。換気棟板１３の設置部１７の外端部に、下側にＵ字状に折り返してなる折り返し部１９が設けられている。
【００１０】
図４に示すように、一対の傾斜部１５の外側部側（軒側）に、複数（図例では２個）の換気孔２０が屋根流れ方向に連続するように設けられ、この連続する複数（２個）ずつの換気孔２０が、桁行き方向に間隔をおいて複数設けられている。各換気孔２０は、傾斜部１５に風避け片２１を下方に切り起こすことにより形成され、各換気孔２０は内側開口部２０ａと外側開口部２０ｂとを有している。風避け片２１は円弧状に湾曲形成されている。傾斜部１５の換気孔２０間に、固定用の上取付孔２４が桁行き方向に間隔をおいて複数個設けられている。図１〜図３に示すように、一対の傾斜部１５の棟側の下面に、防露材１８が設けられている。
【００１１】
図１〜図３及び図５に示すように、棟板受け１４は、一対の傾斜部１５の外側部側（軒側）の下方にそれぞれ配置され、防水材２２を介して屋根面４ａ，４ｂ上に設置されている。各棟板受け１４は、傾斜部１５の換気孔２０に対向する受け板部２７と、受け板部２７の内側端から上方に突出した起立部２８と、起立部２８の上端から屋根流れ方向に突出した接当部２９とを有する。また、棟板受け１４の受け板部２７の外側端側に、換気棟板１３の設置部１７の下面側に沿うように、屋根流れ方向に突出した突出板部３２が設けられている。
【００１２】
図２、図３及び図５に示すように、棟板受け１４の起立部２８に排気口２６が桁行き方向に複数個列設され、棟板受け１４の受け板部２７に、固定用の下取付孔３４が桁行き方向に間隔をおいて複数個設けられ、この固定用の下取付孔３４は、傾斜部１５の固定用の上取付孔２４に対応している。
接当部２９が換気棟板１３の傾斜部１５に下側から接当されている。また、突出板部３２の突出端部が、換気棟板１３のＵ字状の折り返し部１９に嵌合され、これにより、棟板受け１４上の水が突出板部３２を伝わって折り返し部１９から屋根面４ａ，４ｂ上に排出されるようになっている。棟板受け１４の突出板部３２よりも屋根流れ方向の上側に、排水孔３７が設けられている。
【００１３】
換気棟板１３の固定用の上取付孔２４の開口縁部３９が、バーリングにより上方に突出した環状に形成され、棟板受け１４の固定用の下取付孔３４の開口縁部４０が、バーリングにより上方に突出した環状に形成されている。
換気棟板１３の傾斜部１５と棟板受け１４との間にスペーサ部材４２が設けられ、スペーサ部材４２を貫通する釘、ねじ釘、ビス等の固定具４３により、傾斜部１５と棟板受け１４とが屋根面４ａ，４ｂに固定されている。
図２、図３及び図６〜図８に示すように、スペーサ部材４２は、ゴムや弾性を有する合成樹脂等により円筒状に形成され、スペーサ部材４２の軸心方向に、釘等の固定具４３を挿通する挿通孔４４が形成され、スペーサ部材４２の上端部に、上取付孔２４の開口縁部３９を係止する上係止部４７が設けられ、スペーサ部材４２の下端部に、下取付孔３４の開口縁部４０を係止する下係止部４８が設けられている。
【００１４】
上係止部４７は、スペーサ部材４２の上端部外周面に没入形成した環状溝により構成され、上係止部４７に上取付孔２４の開口縁部３９が外嵌されて、上係止部４７で上取付孔２４の開口縁部２４を上下移動不能に係止している。下係止部４８は、スペーサ部材４２の下端部に設けたフランジ部により構成され、下係止部４８の外径は下取付孔３４の孔径より大に形成され、下係止部４８は下取付孔３４に挿通不能になっており、下取付孔３４の開口縁部４０がスペーサ部材４２の下係止部４８の上方に外嵌されて、下係止部４８で下取付孔３４の開口縁部４０を下方移動を規制するように係止している。
【００１５】
スペーサ部材４２の上係止部４７より上方に、上方に向けて徐々に小径となるテーパー部４９が設けられ、テーパー部４９は上取付孔２４に下側から挿通可能とされている。スペーサ部材４２の下係止部４８より上方側は、その外径が下取付孔３４の孔径と略同一に形成され、下取付孔３４に挿通可能とされている。
上記の如く上係止部４７で上取付孔２４の開口縁部３９を上下移動不能となるように係止すると共に、下係止部４８で下取付孔３４の開口縁部４０を下方移動を規制するように係止することにより、スペーサ部材４２で換気棟板１３と棟板受け１４とを互いに離間しないように締結している。接当部２９の傾斜部１５への接当及び突出板部３２の突出端部の折り返し部１９への圧接により、換気棟板１３と棟板受け１４との近接方向への移動が規制され、これにより、換気棟板１３と棟板受け１４とが相対移動不能に固定されている。
【００１６】
スペーサ部材４２に防水材２２が貼り付けられ、スペーサ部材４２は防水材２２を介して屋根面４ａ，４ｂ上に配置され、ねじ釘、釘等の固定具４３が固定用の上取付孔２４、スペーサ部材４２及び下取付孔３４に挿通されて、屋根面４ａ，４ｂに打ち付けられ、これにより、釘等の固定具４３によって、換気棟板１３の傾斜部１５と棟板受け１４の受け板部２７との間にスペーサ部材４２を介在した状態で、釘等の固定具４３により、傾斜部１５と受け板部２７とが屋根面４ａ，４ｂに固定されている。
図２、図３及び図５に示すように、換気孔２０の下方に、換気棟板１３と棟板受け１４との間を上下に仕切るように仕切板５１が設けられている。仕切板５１の軒側は、換気孔２０よりも軒側に突出されて、仕切板５１の軒側端部は換気棟板１３の起立部１６に接当され、これにより、仕切板５１と換気棟板１３との間の軒側は、屋根開口部７に連通しないように閉塞されている。仕切板５１の棟側端部は、換気孔２０の内側開口部２０ａよりも棟側に突出されている。仕切板５１の棟側に、仕切板５１と換気棟板１３（傾斜部１５）との間の棟側を遮断するように、水切板５２が設けられている。この水切板５２は、棟板受け１４の接当部２９の外側端から下方に突出されている。
【００１７】
前記棟板受け１４、仕切板５１及び水切板５２は、１の板金の折り曲げ加工等によって一体に形成されており、水切板５２は、棟板受け１４の接当部２９の外側端に連結され、仕切板５１は水切板５２の下端に連結されている。仕切板５１の棟側端部に、通気口５３が桁行方向に複数個列設されている。而して、仕切板５１と換気棟板１３との間の棟側に、排気口２６と水切板５２と通気口５３とによって迂回した換気通路５５が形成されており、仕切板５１と換気棟板１３との間の棟側は、迂回した換気通路５５を介して屋根開口部７に連通されている。
【００１８】
また、仕切板５１の中途部に、スペーサ部材４２を挿通するための挿通部５７が設けられれている。この挿通部５７は円形の開口孔により形成され、仕切板５１は、挿通部５７を介してスペーサ部材４２に対して外嵌されている。
なお、棟板受け１４の桁方向両側には、図５に示すように、受け板部２７の桁方向端部から換気棟板１３の傾斜部１５に向けて立ち上がる閉塞板５９が設けられ、換気棟板１３の桁方向両側には、傾斜部１５の桁方向端部から棟板受け１４の受け板部２７に向けて垂れ下がる図示省略の閉塞板が設けられており、この閉塞板は前記棟板受け１４に設けられた閉塞板５９の桁方向外側に配置されている。
【００１９】
上記実施の形態によれば、屋根開口部７から排出された排気は、図３に矢印ａで示す如く、換気通路５５を通って通気口５３から仕切板５１と換気棟板１３との間に入り、仕切板５１と換気棟板１３との間の風避け片２１の下側を通って、換気棟板１３の換気孔２０よりも軒側に流出した後、排気は換気孔２０から外部に排気される。一方、換気孔２０から仕切板５１の上に侵入した雨水等の水は、仕切板５１と換気棟板１３の起立部１６との間の隙間等から棟板受け１４上に侵入し、排水孔３７から屋根面４ａ，４ｂ上に排出され、又は突出板部３２を伝わって、折り返し部１９側から屋根面４ａ，４ｂ上に排出される。しかも、棟板受け１４と屋根面４ａ，４ｂとの間に防水材２２が介在されているため、棟板受け１４と屋根面４ａ，４ｂとの間に排水路を確保することができる。従って、棟板受け１４上に侵入した水を、屋根面４ａ，４ｂ上にスムーズに排水できる。
【００２０】
そして、矢印ｂで示すように風雨が上部から激しく吹き付けて、換気孔２０から換気棟板１３内に入ると、換気孔２０から侵入した風雨は、仕切板５１の上面に当たって、仕切板５１と換気棟板１３との間の軒側に跳ね返って、堰き止められ、ここで風雨の勢いが止められる。また、仕切板５１上に侵入した雨水等は、上記と同様に仕切板５１と換気棟板１３の起立部１６との間の隙間等から、仕切板５１の下方に排出されて、排水孔３７や折り返し部１９側から屋根面４ａ，４ｂ上に排出される。従って、上部からの激しい風雨があっても、十分な防水性能を確保できる。
【００２１】
なお、前記実施の形態では、仕切板５１と換気棟板１３との間の軒側が屋根開口部７に連通しないように、仕切板５１の軒側端部が、換気棟板１３（の起立部１６）に接当されているが、これに代えて、仕切板５１と換気棟板１３との間の軒側が屋根開口部７に連通しないように、仕切板５１の軒側端部を、換気孔２０よりも軒側で換気棟板１３（の起立部１６等）に連結するようにしてもよい。また、この場合、仕切板５１の棟側端部を、水切板５２から軒側に離間させ、これにより水切板５２と仕切板５１との間に通気口５３を形成するようにしてもよい。
【００２２】
図９〜図１１は他の実施の形態を示し、棟板受け１４の受け板部２７の外側端側に、突出した突出板部３２を省略し、受け板部２７の外側端側に、連結部６１を上方突設している。仕切板５１の軒側端部は連結部６１を介して棟板受け１４の受け板部２７の軒側端部に一体に連結され、仕切板５１の棟側は換気孔２０の内側開口部２０ａよりも棟側に突出され、仕切板５１の棟側端部は水切板５２から軒側に離間されて、水切板５２と仕切板５１との間に通気口５３を形成している。従って、この実施の形態の場合も、仕切板５１と換気棟板１３との間の棟側に、排気口２６と水切板５２と通気口５３とによって迂回した換気通路５５が形成されており、仕切板５１と換気棟板１３との間の棟側は、迂回した換気通路５５を介して屋根開口部７に連通されている。また、仕切板５１と換気棟板１３との間の軒側が屋根開口部７に連通しないように、仕切板５１の軒側端部は、換気孔２０よりも軒側で連結部６１を介して棟板受け１４に連結されている。その他の点は前記実施の形態の場合と同様の構成である。
【００２３】
上記実施の形態によれば、風雨が、矢印ｂで示すように、上部から激しく吹き付けて、換気孔２０から換気棟板１３内に入ると、換気孔２０から侵入した風雨は、仕切板５１の上面に当たって、仕切板５１と換気棟板１３との間の軒側に跳ね返って、風雨の勢いが止められる。また、仕切板５１上に侵入した雨水等は、連結部６１と換気棟板１３の起立部１６との間から屋根面４ａ，４ｂ上に排出される。従って、この場合も上部からの激しい風雨があっても、十分な防水性能を確保できる。
図１２〜図１４は他の実施の形態を示し、棟板受け１４の受け板部２７の外側端側に、突出した突出板部３２を省略している。仕切板５１は屋根流れ方向に対して軒側に行くに従って徐々に下降するように傾斜され、仕切板５１の軒側端部が棟板受け１４の受け板部２７の軒側端部に一体に連結されている。仕切板５１の棟側は換気孔２０の内側開口部２０ａよりも棟側に突出され、仕切板５１の棟側端部は水切板５２から軒側に離間されて、水切板５２と仕切板５１との間に通気口５３を形成している。従って、この実施の形態の場合も、仕切板５１と換気棟板１３との間の棟側に、排気口２６と水切板５２と通気口５３とによって迂回した換気通路５５が形成されており、仕切板５１と換気棟板１３との間の棟側は、迂回した換気通路５５を介して屋根開口部７に連通されている。また、仕切板５１と換気棟板１３との間の軒側が屋根開口部７に連通しないように、仕切板５１の軒側端部は、換気孔２０よりも軒側で棟板受け１４に連結されている。その他の点は前記実施の形態の場合と同様の構成である。
【００２４】
上記実施の形態によれば、風雨が、矢印ｂで示すように、上部から激しく吹き付けて、換気孔２０から換気棟板１３内に入ると、換気孔２０から侵入した風雨は、仕切板５１の上面又は換気棟板１３の起立部１６に当たって、ここで、風雨の勢いが止められる。また、仕切板５１上に侵入した雨水等は、仕切板５１と換気棟板１３の起立部１６との間の隙間等から屋根面４ａ，４ｂ上に排出される。従って、この場合も上部からの激しい風雨があっても、十分な防水性能を確保できる。
なお、図９〜図１１の実施の形態及び図１２〜図１４の実施の形態の場合、仕切板５１と換気棟板１３との間の軒側が屋根開口部７に連通しないように、仕切板５１の軒側端部が、換気孔２０よりも軒側で棟板受け１４に連結されているが、これに代え、仕切板５１と換気棟板１３との間の軒側が屋根開口部７に連通しないように、仕切板５１の軒側端部を、換気孔２０よりも軒側で棟板受け１４に接当するようにしてもよい。また、この場合、前記図１〜図８の実施の形態の場合と同様に仕切板５１の棟側端部を水切板５２に一体に連結するようにしてもよい。
【００２５】
図１５〜図１７は他の実施の形態を示し、前記図９〜図１１の実施の形態の場合と同様に、仕切板５１と換気棟板１３との間の棟側に、排気口２６と水切板５２と通気口５３とによって迂回した換気通路５５が形成されており、仕切板５１と換気棟板１３との間の棟側は、迂回した換気通路５５を介して屋根開口部７に連通されている。また、仕切板５１と換気棟板１３との間の軒側が屋根開口部７に連通しないように、仕切板５１の軒側端部は、換気孔２０よりも軒側で連結部６１を介して棟板受け１４に連結されている。そして、仕切板５１と棟板受け１４との間に熱発泡材６３が設けられている。この熱発泡材６３は、棟板受け１４の受け板部２７と仕切板５１と連結部６１との間に充填されている。その他の点は前記実施の形態の場合と同様の構成である。
【００２６】
従って、この場合も上部からの激しい風雨があっても、十分な防水性能を確保できる。しかも、火災時に高温になると、熱発泡材６４が発泡して、図１７に示すように、熱発泡材６３が棟側に膨張して、前記迂回した換気通路５５を塞ぐため、火災時等において、屋根面４ａ，４ｂに添う炎や煙が、換気孔２０から換気通路５５（通気口５３、排気口２６）を通って屋根開口部７から住宅等の内部に入るのを未然に防ぐことができる。即ち、仕切板５１の下側（仕切板５１と棟板受け１４の受け板部２７との間）の空間を有効に利用して、熱発泡材６３を収納保持することができ、熱発泡材６３は受け板部２７と水切板と連結部とで３方が取り囲まれて、棟側にしか膨張できなくなるため、熱発泡材６３の発泡倍率が低くても、熱発泡材６３が棟側に膨張して、前記迂回した換気通路５５を確実に塞ぐため、炎や熱が住宅内部に侵入しないように十分な効果が得られるのである。
【００２７】
なお、前記実施の形態では、仕切板５１と換気棟板１３との間の軒側が屋根開口部７に連通しないように、仕切板５１の軒側端部が、換気孔２０よりも軒側で換気棟板１３又は棟板受け１４に接当又は連結されているが、仕切板５１の軒側端部は、必ずしも換気孔２０よりも軒側で換気棟板１３又は棟板受け１４に接当又は連結される必要はなく、仕切板５１と換気棟板１３との間の軒側が屋根開口部７に連通しないように、仕切板５１の軒側端部を、換気孔２０よりも棟側で換気棟板１３又は棟板受け１４に接当又は連結するようにしてもよい。例えば、図３に鎖線で示すように、仕切板５１の軒側５１ａを下方に屈曲して、仕切板５１の軒側端部を棟板受け１４の受け板部２７に接当するようにしてもよい。また、仕切板５１と換気棟板１３との間の軒側が屋根開口部７に連通しないように、仕切板５１の軒側端部を、換気棟板１３又は棟板受け１４に、前記接当に代えて近接するようにしてもよい（仕切板１５の軒側端部と、換気棟板１３又は棟板受け１４との間に多少の隙間を設けるようにしてもよい）。
【産業上の利用可能性】
【００２８】
住宅等の屋根に設置される換気棟に利用される。
【図面の簡単な説明】
【００２９】
【図１】本発明の一実施の形態を示す換気棟の概略断面図である。
【図２】同換気棟の固定具及び止水部材部分の断面図である。
【図３】同換気棟の排気孔及び止水部材部分の断面図である。
【図４】同換気棟板の平面図である。
【図５】同棟板受けの斜視図である。
【図６】同スペーサ部材の正面図である。
【図７】同スペーサ部材の平面図である。
【図８】同スペーサ部材の断面図である。
【図９】他の実施形態を示す換気棟の排気孔及び止水部材部分の断面図である。
【図１０】同換気棟の固定具及び止水部材部分の断面図である。
【図１１】同換気棟の排気孔及び止水部材部分の断面図である。
【図１２】他の実施形態を示す換気棟の排気孔及び止水部材部分の断面図である。
【図１３】同換気棟の固定具及び止水部材部分の断面図である。
【図１４】同換気棟の排気孔及び止水部材部分の断面図である。
【図１５】他の実施形態を示す換気棟の排気孔及び止水部材部分の断面図である。
【図１６】同換気棟の固定具及び止水部材部分の断面図である。
【図１７】同換気棟の排気孔及び止水部材部分の断面図である。
【図１８】従来例を示す概略断面図である。
【符号の説明】
【００３０】
７    屋根開口部
１１    換気棟
１３    換気棟板
１４    棟板受け
２０    換気孔
５１    仕切板
５２    水切板
５５    換気通路
【図１】
2005097942.tif 000003
【図２】
2005097942.tif 000004
【図３】
2005097942.tif 000005
【図４】
2005097942.tif 000006
【図５】
2005097942.tif 000007
【図６】
2005097942.tif 000008
【図７】
2005097942.tif 000009
【図８】
2005097942.tif 000010
【図９】
2005097942.tif 000011
【図１０】
2005097942.tif 000012
【図１１】
2005097942.tif 000013
【図１２】
2005097942.tif 000014
【図１３】
2005097942.tif 000015
【図１４】
2005097942.tif 000016
【図１５】
2005097942.tif 000017
【図１６】
2005097942.tif 000018
【図１７】
2005097942.tif 000019
【図１８】
2005097942.tif 000020